(57)【要約】【課題】回動翼片の側壁下部に遊技球が衝突することを効果的に防止し得る構成を提供することを目的とする。【解決手段】  遊技盤２の前面２ａ側に固定される台板４０と、台板４０の前面２ａ側において遊技盤２の前面２ａと交差する方向の回動軸線Ｇ１を中心として回動可能に支持される回動翼片２０と、台板４０の前面２ａ側に固定配置され回動翼片２０の少なくとも側壁下部２０ｃの一部を覆う底壁部３０ｄと、その底壁部３０ｄに連続して形成され回動翼片２０の前面を覆う前壁部３０ａとを有した前飾り部材３０と、を備えている。また、台板４０と前飾り部材３０の少なくとも一方には、回動翼片２０が閉鎖位置のときに、回動翼片２０の側壁下部２０ｃを底壁部３０ｄから延出して覆う延出壁部３０ｅが形成されており、回動翼片２０は、開口溝２０ｄに延出壁部３０ｅを入り込ませて当該延出壁部３０ｅとの干渉を回避した状態で開放位置に変位する。【選択図】図５
2014050629.tif 000002
【特許請求の範囲】
【請求項１】
遊技機の遊技盤に固定され、該遊技盤に沿って流下する遊技球を受け入れる入賞口を備えた遊技機用可変入賞装置であって、
前記遊技盤の前面側に固定される台板と、
前記台板の前面側において前記遊技盤の前面と交差する方向の回動軸線を中心として回動可能に支持され、前記入賞口における遊技球の受け入れ状態を困難又は不能とする閉鎖位置と、遊技球の受け入れ状態を容易又は可能とする開放位置との間で回動変位可能な回動翼片と、
前記台板の前面側に固定配置され前記回動翼片の少なくとも側壁下部の一部を覆う底壁部と、その底壁部に連続して形成され前記回動翼片の前面を覆う前壁部とを有した前飾り部材と、を備え、
前記台板と前記前飾り部材の少なくとも一方には、前記回動翼片が前記閉鎖位置のときに、前記回動翼片の側壁下部を前記底壁部から延出して覆う延出壁部が形成されており、
前記回動翼片には、前記開放位置のときに前記延出壁部が入り込む開口溝が形成され、
前記回動翼片は、前記開口溝で当該延出壁部との干渉を回避した状態で前記開放位置に変位することを特徴とする遊技機用可変入賞装置。
【請求項２】
前記延出壁部は、前記前飾り部材に形成されると共に、前記台板との間に遊技球の直径よりも狭い間隙を有して前記前壁部及び前記底壁部に連続するように形成され、
前記回動翼片には、前記開放位置のときに前記間隙に入り込むように後壁が形成されていることを特徴とする請求項１に記載の遊技機用可変入賞装置。
【請求項３】
請求項１又は請求項２に記載の遊技機用可変入賞装置を備えたことを特徴とする遊技機。
【発明の詳細な説明】
【技術分野】
【０００１】
本発明は、遊技機用可変入賞装置及びそれを備えた遊技機に関するものである。
【背景技術】
【０００２】
遊技機に用いられる入賞装置には、遊技盤に垂直な軸周りに回転して開閉動作する回動翼片（開閉部材或いは羽根部材）を有するものがあり、例えば、このような入賞装置が、遊技領域の中央付近に配置されるセンター役物の上部に設けられる構成が開示されている。特許文献１で開示される入賞装置（第２大入賞装置（１４））では、遊技盤の盤面に垂直な支軸を中心に開放位置と閉鎖位置とに回動自在な開閉部材（３５）が設けられ、この開閉部材（３５）によって入賞口を開閉する構成となっている。そして、第２大入賞装置（１４）は、特別遊技状態の発生時に開閉動作して、遊技領域（ＰＡ）に打ち出された遊技球（Ｂａ）を入賞口の内側に誘導して入賞させ得る入賞装置として構成されている。
【０００３】
このような入賞装置では、近年大型化しているセンター役物の上部や側部に対して、１つの回動翼片（開閉部材（３５）、対にならない構成）によって入賞口を開閉する構成となっている。そして、このような１つの回動翼片によって入賞口を開放する構成では、複数（対）の回動翼片を設けて開閉動作する構成に比べて、回動翼片自体が大型化する傾向にある。
【先行技術文献】
【特許文献】
【０００４】
【特許文献１】特開２０１２−００５７７５号公報
【発明の概要】
【発明が解決しようとする課題】
【０００５】
しかしながら、特許文献１のような入賞装置の構成では、閉鎖位置において入賞口を閉鎖するために回動翼片（開閉部材（３５））が遊技領域に大きく露出するため、回動翼片の外側壁に遊技球が衝突し易くなる。このような場合に、流下してきた遊技球の衝突する方向や衝撃の大きさによっては、衝突の反動や遊技球との摩擦により回動翼片が僅かにも開く虞があり、特に、回動翼片の外側壁下部における衝突では、回動方向への力が生じ易く回動翼片を開かせる作用が強くなる。そして、回動翼片の開きが大きくなる場合には、タイミングによっては開放された入賞口の隙間から遊技球が入賞する虞がある。特に、大型化している回動翼片においては、僅かな回動によっても回動翼片の先端部の回動量（回動角度）は大きくなるため、このような問題が顕著に生じてしまう。また、回動翼片に対するロック機構を搭載する構成であっても、そのロック機構にクリアランス（遊び）が存在することによって、このような回動の確実な抑制は困難となる。
また、入賞口を開放状態とする制御がされていないときに、遊技球が入賞口に進入することになると、遊技者に意図しない賞球を与えてしまうだけでなく、遊技機の制御部によって不正入賞（不正行為）があったと判断される虞がある。
【０００６】
本発明は、上述した課題を解決するためになされたものであり、遊技球を内部に誘導可能に構成された遊技機用可変入賞装置及びこれを備えた遊技機において、回動翼片の側壁下部に遊技球が衝突することを効果的に防止し得る構成を提供することを目的とする。
【課題を解決するための手段】
【０００７】
本発明の遊技機用可変入賞装置は、遊技機の遊技盤に固定され、該遊技盤に沿って流下する遊技球を受け入れる入賞口を備えた遊技機用可変入賞装置であって、
前記遊技盤の前面側に固定される台板と、
前記台板の前面側において前記遊技盤の前面と交差する方向の回動軸線を中心として回動可能に支持され、前記入賞口における遊技球の受け入れ状態を困難又は不能とする閉鎖位置と、遊技球の受け入れ状態を容易又は可能とする開放位置との間で回動変位可能な回動翼片と、
前記台板の前面側に固定配置され前記回動翼片の少なくとも側壁下部の一部を覆う底壁部と、その底壁部に連続して形成され前記回動翼片の前面を覆う前壁部とを有した前飾り部材と、を備え、
前記台板と前記前飾り部材の少なくとも一方には、前記回動翼片が前記閉鎖位置のときに、前記回動翼片の側壁下部を前記底壁部から延出して覆う延出壁部が形成されており、
前記回動翼片には、前記開放位置のときに前記延出壁部が入り込む開口溝が形成され、
前記回動翼片は、前記開口溝で当該延出壁部との干渉を回避した状態で前記開放位置に変位することを特徴とする。
【０００８】
本発明の遊技機は、上記遊技機用可変入賞装置が遊技盤に配置されていることを特徴とする。
【発明の効果】
【０００９】
本発明の遊技機用可変入賞装置及び遊技機によれば、台板と前飾り部材の少なくとも一方には、回動翼片が閉鎖位置のときに、回動翼片の側壁下部を底壁部から延出して覆う延出壁部が形成されているため、回動翼片の側壁下部近傍に流下してきた遊技球が、延出壁部に衝突することで撥ね返され、或いは延出壁部に沿って流下することとなり、回動翼片の側壁下部に遊技球が衝突することを抑制又は防止することができる。これによって、遊技球が回動翼片の側壁下部に衝突した時の反動、或いは遊技球が回動翼片の側壁下部に及ぼす摩擦力によって回動翼片が閉鎖位置から回動することがなくなり、入賞口が閉状態の時に予期しない遊技球の入賞を抑制又は防止することができる。
また、回動翼片は、回動翼片に形成された開口溝で延出壁部との干渉を回避した状態で開放位置に変位するため、延出壁部の適当な大きさを確保できると共に、回動翼片の回動角度を広く保つことができる。
【００１０】
また、本発明において、延出壁部は、前飾り部材に形成されると共に、台板との間に遊技球の直径よりも狭い間隙を有して前壁部及び底壁部に連続するように形成され、回動翼片には、開放位置のときに間隙に入り込むように後壁が形成されていてもよい。このように、延出壁部は、前飾り部材に形成されると共に、前壁部及び底壁部に連続するように形成されるため、遊技球が延出壁部に衝突した際に、その衝撃力を前壁部及び底壁部に分散させることが可能となり、耐久性を向上させることができる。
また、延出壁部は、台板との間に遊技球の直径よりも狭い間隙を有する構成であるため、スペースを取らないコンパクトな構成で、遊技球が間隙を通り抜けることなく回動翼片の側壁下部に衝突するのを防ぐことができる。
また、回動翼片に後壁を形成して、開放位置のときに間隙に入り込む構成とするため、回動翼片の強度を後壁の形成によって保ちつつ、回動翼片の回転角度を十分に確保することができる。
【図面の簡単な説明】
【００１１】
【図１】図１は、本発明の第１実施形態に係る遊技機用可変入賞装置を備えた遊技機を例示する正面図である。
【図２】図２（Ａ）は、本発明の第１実施形態に係る遊技機用可変入賞装置に関し、回動翼片が閉鎖位置にあるときの様子を前側の斜め上方から見た斜視図であり、図２（Ｂ）は、回動翼片が開放位置にあるときの図２（Ａ）に対応する図である。
【図３】図３（Ａ）は、図２（Ａ）の遊技機用可変入賞装置に関し、回動翼片が閉鎖位置にあるときの正面図であり、図３（Ｂ）は、回動翼片が開放位置にあるときの図３（Ａ）に対応する図である。
【図４】図４（Ａ）は、図２（Ａ）の遊技機用可変入賞装置に関し、回動翼片が閉鎖位置にあるときの右側面図であり、図４（Ｂ）は、回動翼片が開放位置にあるときの図４（Ａ）に対応する図である。
【図５】図５（Ａ）は、図４（Ａ）のＡ−Ａ断面を概略的に示す断面図であり、図５（Ｂ）は、図４（Ｂ）のＡ’−Ａ’断面を概略的に示す断面図である。
【図６】図６は、図２の遊技機用可変入賞装置の前側の一部について、前方側且つ斜め上方側から見た分解斜視図である。
【図７】図７は、図２の遊技機用可変入賞装置の後側の一部について、前方側且つ斜め上方側から見た分解斜視図である。
【図８】図８は、図２の遊技機用可変入賞装置の前側の一部について、後方側且つ斜め下方側から見た分解斜視図である。
【図９】図９は、図２の遊技機用可変入賞装置の後側の一部について、後方側且つ斜め下方側から見た分解斜視図である。
【図１０】図１０は、図２の遊技機用可変入賞装置の開閉動作を説明する図である。
【発明を実施するための形態】
【００１２】
[第１実施形態]
以下、本発明に係る遊技機用可変入賞装置１０及びそれを備えた遊技機１を具現化した第１実施形態について、図面を参照して説明する。
（遊技機の構成）
まず、図１を参照して遊技機１の構成を概説する。図１に示す遊技機１は、いわゆるパチンコ機として構成されるものであり、木板（ベニヤ板）、アクリル板等によって構成される遊技盤２の盤面（前面２ａ）に沿って遊技球Ｂの発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、始動誘導口７が配置されている。そして、液晶表示部３の横方向に本発明に係る遊技機用可変入賞装置１０が配置されている。なお、遊技機１には、遊技盤２の前方において当該遊技盤２の盤面（前面２ａ）とほぼ平行に透明板（ガラス板等）が配置され、ガイドレール５等によって区画された遊技領域内において透明板と遊技盤２との間を遊技球Ｂが流下するように構成されている。
【００１３】
（遊技機用可変入賞装置の構成）
次に、第１実施形態に係る遊技機用可変入賞装置１０について説明する。
図１等に示すように、遊技機用可変入賞装置１０（以下、入賞装置１０ともいう）は、遊技盤２に沿って流下する遊技球Ｂを受け入れて入賞させる装置である。入賞装置１０は、入賞した遊技球Ｂを検出スイッチ等で感知・検出し、その検出があった場合に所定個数の賞球が払い出されることになる。図１及び図２に示すように、入賞装置１０は、遊技盤２に固定されて用いられ、遊技盤２の前面（盤面）２ａの前方側において上方側且つ右側に開放した開口形態で配される入賞口１２を備えている。この入賞口１２は、後述する回動翼片２０によって開閉される構成をなしており、回動翼片２０が開放位置となったときに開放状態となり、前面２ａに沿って流下する遊技球Ｂを内部に受け入れることができるようになっている。なお、図４では、遊技盤２の前面（盤面）２ａ及び後面２ｂの位置を二点鎖線にて仮想的に示している。
【００１４】
本明細書において、「前後方向」とは、遊技盤２の前面２ａ（盤面）と直交する方向を意味し、前面（盤面）２ａに対し遊技者が位置するべき側を前方側、それとは反対側（即ち、遊技機１奥側）を後方側とする。また、「上下方向」とは、遊技盤２の前面２ａと平行で遊技領域を遊技球が流下する方向（鉛直方向）を意味する。また、「左右方向」とは、上記「前後方向」及び「上下方向」と直交する方向を意味する。
【００１５】
図２、図４、図６及び図８に示すように、入賞装置１０は、遊技盤２の前面２ａ側に直接的に固定される台板４０と、台板４０の前面側において遊技盤２の前面２ａと交差する方向の回動軸線Ｇ１を中心として回動可能に支持され、入賞口１２における遊技球Ｂの受け入れ状態を困難又は不能とする閉鎖位置（図２（Ａ）、図３（Ａ）参照）と、遊技球Ｂの受け入れ状態を容易又は可能とする開放位置（図２（Ｂ）、図３（Ｂ）参照）との間で回動変位可能な回動翼片２０と、台板４０の前面側に固定配置され回動翼片２０の所定部分を覆う前飾り部材３０とを備えている。更に、図７及び図９に示すように入賞装置１０は、駆動力を生じさせるソレノイド９０と、回動翼片２０と連動可能に構成されると共にソレノイド９０の駆動力を受けて回動翼片２０を回動変位させる伝達機構６０と、入賞口１２から装置内部（入賞領域）に進入した遊技球Ｂを検出する球検出部８０と、これらソレノイド９０、伝達機構６０及び球検出部８０を収容する支持枠体５０と、伝達機構６０を後方側から覆うカバー部材７０とを台板４０の後面側に備えている。
【００１６】
まず、前飾り部材３０について説明する。
前飾り部材３０は、台板４０の前面側に固定配置され回動翼片２０の少なくとも側壁下部２０ｃ（後述）の一部を覆う底壁部３０ｄと、その底壁部３０ｄに連続して形成され回動翼片２０の前面を覆う前壁部３０ａとを有している。また、前飾り部材３０には、回動翼片２０が閉鎖位置のときに、回動翼片２０の側壁下部２０ｃ（後述）を底壁部３０ｄから延出して覆う延出壁部３０ｅが形成されている。
【００１７】
具体的には、前飾り部材３０は、図６及び図８に示すように、遊技盤２の前面２ａと略平行に配置される板状の前壁部３０ａと、その前壁部３０ａの外周縁に沿って後方に突出する外周壁部３０ｃと、前壁部３０ａの内部領域で後方に突出する内周壁部３０ｉとを備えている。外周壁部３０ｃは、右側上部分を開放するように前壁部３０ａの外周縁の所定部分に対応して形成されており、主に下方側の部分（略上下方向に面する略板状部分及び該板状部分の右側端部から上方に突出する部分）が底壁部３０ｄとして構成されている。そして、外周壁部３０ｃには、底壁部３０ｄの右側の先端部分として前壁部３０ａ及び底壁部３０ｄと連続するように延出壁部３０ｅが形成されている。なお、本実施形態の延出壁部３０ｅは、前壁部３０ａから後方に突出する長さが、底壁部３０ｄが後方へ突出する長さよりも短くなるように形成されている（即ち、前飾り部材３０を台板４０に組み付けた際に、延出壁部３０ｅの後方端部が台板４０の前面と離間するように形成されている）。
内周壁部３０ｉには、台板４０に貫通形成された球通路４０ｃに接続されると共に、入賞した遊技球Ｂを後方に誘導する球受通路３０ｊが形成され、球受通路３０ｊの内側に湾曲面を有した案内リブ３０ｋが形成されている。
また、外周壁部３０ｃには、底壁部３０ｄの右側且つ内周壁部３０ｉ側において、内周壁部３０ｉ方向に向かって突出する規制部３０ｆが形成されており、内周壁部３０ｉには、球受通路３０ｊの右側端部として規制部３０ｇが形成されている。
【００１８】
前飾り部材３０は、上述したように、外周壁部３０ｃが前壁部３０ａの外周縁の所定部分に対応して形成されているため、右側上部分が開口する（切欠かれる）構成となっている。また、前飾り部材３０には、回動翼片２０を回動可能とする支軸２２を支持する軸受部３０ｈが、前壁部３０ａの後面に形成されている。そして、前飾り部材３０は、外周壁部３０ｃによって回動翼片２０を収容する構成となっている。
【００１９】
次に、回動翼片２０について説明する。
回動翼片２０には、開放位置のときに前飾り部材３０の延出壁部３０ｅが入り込む開口溝２０ｄが形成されている。これにより、回動翼片２０は、その開口溝２０ｄで当該延出壁部３０ｅとの干渉を回避した状態で開放位置に変位することとなる。以下、回動翼片２０の具体的な態様について説明する。
【００２０】
回動翼片２０は、図６及び図８に示すように、略三角形の翼形状をなしており、台板４０の前面側において遊技盤２の前面２ａと交差する方向の回動軸線Ｇ１（軸孔）を中心として回動するようになっている。また、回動翼片２０は、軸孔２０ｉの径方向に延びて入賞口１２を開状態及び閉状態とする翼部２０ａと、中心に軸孔２０ｉが形成される略円柱状の基端部２０ｂとを備えている。また、回動翼片２０の後方側には、回動翼片２０が開放位置に変位する際に伝達機構６０から作用を受ける第１被作用部２０ｆと、回動翼片２０が閉鎖位置に変位する際に伝達機構６０から作用を受ける第２被作用部２０ｇが突設されている。更に、回動翼片２０の基端部２０ｂには、回動翼片２０が開放（閉鎖）位置に位置する際に、前飾り部材３０の規制部３０ｆ或いは規制部３０ｇと当接して回動翼片２０の所定方向への回動を規制する規制片２０ｈが形成されている。
【００２１】
回動翼片２０には、基端部２０ｂの外側で正面視円弧状となるように、翼部２０ａが正面側から窪むように形成され、正面側及び右側面側が開口するように開口溝２０ｄが形成されている。また、回動翼片２０には、翼部２０ａと基端部２０ｂとを連結すると共に、後述するように開放位置のときに延出壁部３０ｅと台板４０との間に形成される間隙Ｃ１（幅がＬ２、図４参照）に入り込む後壁２０ｅが形成されている。また、回動翼片２０の前方寄りの位置で翼部２０ａと基端部２０ｂとを連結すると共に、開口溝２０ｄの一部を構成する内側壁２０ｊが形成され、これら後壁２０ｅ及び内側壁２０ｊによって回動翼片２０の強度が確保されている。そして、回動翼片２０が開放位置に変位する時に、前飾り部材３０の延出壁部３０ｅが開口溝２０ｄに入り込む構成となっている。
【００２２】
また、回動翼片２０は、前飾り部材３０の前壁部３０ａの後面と台板４０の板部４０ａの前面との間に配置されると共に、第１被作用部２０ｆ及び第２被作用部２０ｇが、第１被作用部２０ｆ及び第２被作用部２０ｇの回動軌跡と同様の円弧状に台板に形成された円弧溝４０ｆを介して第２伝達部材６４と係合している。そして、回動翼片２０の第１被作用部２０ｆ及び第２被作用部２０ｇの間に第２伝達部材６４の作用部６４ｂが配置され、第１被作用部２０ｆ及び第２被作用部２０ｇが作用部６４ｂの揺動軌跡上に位置するように構成することで、ソレノイド９０の駆動により回動翼片２０が入賞口１２への遊技球Ｂの入賞が阻止される閉鎖位置から入賞口１２への遊技球Ｂの入賞が許容される開放位置の間で開閉するように組み立てられる。
【００２３】
ここで、回動翼片２０の翼部２０ａ及び基端部２０ｂの外壁によって構成される部分が本願発明の回動翼片２０の側壁に相当する。また、回動翼片２０の軸孔２０ｉから最も遠い位置にある部分（本実施形態では翼部２０ａの先端部に相当）が軸孔２０ｉに対して垂直上方に位置するとした場合に、回動翼片２０の上下方向における中心位置より下方に形成される側壁部分が本願発明の回動翼片２０の側壁下部２０ｃに相当する部分である。
【００２４】
台板４０には、図６及び図８に示すように、遊技盤２の前面２ａ側に固定される板部４０ａに、回動翼片２０の開放時に入賞した遊技球Ｂが通過する球通路４０ｃが開設されると共に、支軸２２を軸支する軸孔４０ｅが形成され、回動翼片２０の回動を許容する円弧溝４０ｆがその軸孔４０ｅを中心とした円弧状に形成されている。また、円筒形状に形成される軸受部材４２が、台板４０の係合部４０ｇにビス等によって係合することで、軸受部材４２に形成される軸受部４２ａが軸孔４０ｅの底部となり、支軸２２の先端を当該軸受部４２ａに当接させて支軸２２の抜け留めとしている。また、後面側には支持枠体５０を取付けるボス及び補強を兼ねたリブ壁４０ｂが支持枠体５０を囲うように形成されている。
【００２５】
また、入賞口１２は、図２（Ｂ）に示すように、回動翼片２０が開放位置にある時に、前飾り部材３０の上記開口（切欠き）部分と、回動翼片２０の翼部２０ａと、台板４０の板部４０ａの前面とによって構成され、回動翼片２０が閉鎖位置にある時に、図２（Ａ）に示すように、前飾り部材３０の上記開口（切欠き）部分が回動翼片２０の翼部２０ａによって塞がれることで、閉鎖状態となる。
【００２６】
支持枠体５０には、図７及び図９に示すように、台板４０の球通路４０ｃに連通する通路部５０ａが形成され、その途中に入賞球を検知する球検出部８０が設けられる構成となっている。また、支持枠体５０には、台板４０よりも後方側において、左右方向にプランジャ９０ｂが直線的に移動するようにソレノイド９０が後方側から組付けられている。また、支持枠体５０には、後述する第２伝達部材６４の移動方向を規制するガイド突起５０ｂが設けられている。また、支持枠体５０には、後述する第２伝達部材６４の回動軸６６を軸支して前後方向のガタつきを抑制する軸受部５０ｃが前後方向に貫通する構成で形成されている。
【００２７】
ソレノイド９０は、図７及び図９に示すように、支軸２２の軸線と交差する方向に直線的に変位するプランジャ９０ｂ及びプランジャ９０ｂを突出方向に付勢するばね部材９０ｃを備えている。
【００２８】
伝達機構６０は、図７及び図９に示すように、ソレノイド９０のプランジャ９０ｂに固設されソレノイド９０の駆動に伴って直線移動する第１伝達部材６２と、支軸２２と平行な回動軸６６により揺動自在に設けられ、第１伝達部材６２と連係して回動翼片２０を可動させる第２伝達部材６４とを含み構成されている。
【００２９】
第１伝達部材６２は、図７及び図９に示すように、プランジャ９０ｂに固定する固定枠６２ａと、支持枠体５０のガイド突起５０ｂに遊嵌してガイドされる長孔６２ｂと、プランジャ９０ｂの進退方向と交差する方向に第２伝達部材６４と連係する連係溝６２ｃとが形成されている。そして、第１伝達部材６２の固定枠６２ａにフランジ状に構成されたプランジャ９０ｂの先端部が支持固定されることで、ソレノイド９０の動作によるプランジャ９０ｂの直線的移動と連動して第１伝達部材６２も直線移動する構成となっている。ここで、第１伝達部材６２の長孔６２ｂが支持枠体５０のガイド突起５０ｂにガイドされるため、プランジャ９０ｂの移動方向と同じ方向以外への移動が規制されることになる。また、連係溝６２ｃと連携する第２伝達部材６４の第２突部６４ｆへ、第１伝達部材６２の移動と同じ方向の駆動力を伝えるため、第２伝達部材６４は第１伝達部材６２と連動して回動することになる。
【００３０】
第２伝達部材６４は、図７及び図９に示すように、長手形状に形成され、その一端には、後方側に突出すると共に回動軸６６に遊合軸支する円筒軸支部６４ａが形成され、他端には、回動翼片２０と連係する作用部６４ｂが形成されており、回動軸線Ｇ２を中心として回動するようになっている。また、第２伝達部材６４の前面側には、台板４０と当接して前後方向のガタつきを抑制する凸状の第１突部６４ｅが形成され、背面側には、第１伝達部材６２の連係溝６２ｃに遊嵌される凸状の第２突部６４ｆが形成されている。
【００３１】
また、作用部６４ｂには、第２伝達部材６４が回動翼片２０を開方向に作用させる時に連係する第１作用部６４ｃと、第２伝達部材６４が回動翼片２０を閉方向に作用させる時に連係する第２作用部６４ｄとが形成されている。そして、回動軸６６に円筒軸支部６４ａを遊合軸支して第２伝達部材６４を揺動自在に軸支し、第１伝達部材６２の連係溝６２ｃに第２伝達部材６４の第２突部６４ｆを遊嵌することで、第１伝達部材６２の直線移動を受けて、第２伝達部材６４を動きの異なる揺動運動に変換するようにしている。また、作用部６４ｂを回動翼片２０の第１被作用部２０ｆ及び第２被作用部２０ｇの間に位置させて、第１作用部６４ｃによって第１被作用部２０ｆを操作すると共に、第２作用部６４ｄによって第２被作用部２０ｇを操作することによって、第２伝達部材６４の揺動運動を同軸方向の回動翼片２０に伝達し、回動翼片２０を回動させて入賞口１２を開放するようにしている。
【００３２】
球検出部８０は、通路部５０ａにその一部が露出するように支持枠体５０に後方側から組付けられている。また、球検出部８０の遊技球通過孔８０ａが通路部５０ａの一部を構成するように配置されており通路部５０ａを通過する遊技球Ｂが通路部５０ａを上方側から下方側へと通過する際に、通過した遊技球Ｂの個数をカウントすることができる。
【００３３】
カバー部材７０は、板状に形成されると共に、回動軸６６を軸支して前後方向のガタつきを抑制する軸受部７０ａが前後方向に貫通する構成で形成されている。また、支持枠体５０のガイド突起５０ｂを支持固定する孔部７０ｂが前後方向に貫通する構成で形成されている。そして、カバー部材７０を支持枠体５０にビス等によって組み付けることで、第１伝達部材６２は、長孔６２ｂが支持枠体５０のガイド突起５０ｂにガイドされることにより左右方向に直線移動することが可能となり、第２伝達部材６４は、支持枠体５０及びカバー部材７０によって支持固定された回動軸６６に円筒軸支部６４ａが遊合軸支されることにより円筒軸支部６４ａを中心として回転移動することが可能となる。
【００３４】
（遊技球の衝突防止構造）
次に、入賞装置１０における遊技球Ｂの衝突防止構造について説明する。
図５（Ａ）に示すように、回動翼片２０が閉鎖位置に位置する時に、回動翼片２０の翼部２０ａが垂直上方に起立するように構成されている。そして、回動翼片２０の翼部２０ａの先端部と前飾り部材３０の上壁部３０ｂの端部とが近接することによって、入賞口１２が閉状態となり、回動翼片２０と前飾り部材３０との間隙の幅が遊技球Ｂの直径よりも十分に小さいため、遊技球Ｂの受け入れを困難又は不能としている。このとき、図２（Ａ）、図３（Ａ）及び図４（Ａ）に示すように、前飾り部材３０の前壁部３０ａが回動翼片２０の前面を覆い、図４（Ａ）及び図５（Ａ）に示すように、前飾り部材３０の底壁部３０ｄ及び延出壁部３０ｅが回動翼片２０の側壁下部２０ｃを覆っている。詳しくは、前飾り部材３０の前壁部３０ａは、回動翼片２０の翼部２０ａにおける先端の一部を残して、回動翼片２０の前方側の側壁全てを覆っている。また、前飾り部材３０の底壁部３０ｄは、回動翼片２０の基端部２０ｂの下側の側壁を覆っている。また、前飾り部材３０の延出壁部３０ｅは、前後方向における前側寄りの一部において、翼部２０ａ及び基端部２０ｂを右側から覆っている。即ち、入賞口１２の閉状態において、前飾り部材３０と台板４０との間から、回動翼片２０の翼部２０ａの右側側方及び前側の先端部の一部と、基端部２０ｂの右側上方の一部が外部に露出する構成となっている。
【００３５】
そして、図４（Ａ）に示すように、延出壁部３０ｅの後方端部と台板４０の前面との間に形成される間隙Ｃ１における前後方向の幅Ｌ２が、遊技球Ｂの直径Ｌ１よりも狭く構成されているため、この間隙Ｃ１内に遊技球Ｂが入り込むことはない。これによって、図５（Ａ）に示すように、入賞口１２が閉状態となっている時に、遊技球Ｂが回動翼片２０の側壁下部２０ｃ近傍に流下してきた場合でも、回動翼片２０の側壁下部２０ｃに遊技球Ｂが衝突することはなく、延出壁部３０ｅに衝突して撥ね返されたり、延出壁部３０ｅに沿って流下することになる。そのため、遊技球Ｂが回動翼片２０の側壁下部２０ｃに衝突した時の反動や、遊技球Ｂが回動翼片２０の側壁下部２０ｃに及ぼす摩擦力によって回動翼片２０が閉鎖位置から開放位置へと回動することがなくなり、入賞口１２が閉状態の時に予期しない遊技球Ｂの入賞を抑制することができる。
【００３６】
（遊技機用可変入賞装置の開閉動作）
次に、入賞装置１０の開閉動作について説明する。なお、図１０は、図２に示す遊技機用可変入賞装置において、回動翼片、第１伝達部材、第２伝達部材、及び駆動源の連係状態の前方側からの様子を示す説明図である。そして、図１０（Ａ）は、回動翼片が閉鎖位置にあるときの様子を示す図であり、図１０（Ｂ）は、開閉動作を示す作用説明図であり、図１０（Ｃ）は、回動翼片が開放位置にあるときの様子を示す図である。
入賞装置１０は、ソレノイド９０のコイル部９０ａが通電されてない時には、ばね部材９０ｃの付勢によってプランジャ９０ｂが突出位置に維持され、これにより、図１０（Ａ）に示すように、第１伝達部材６２が左方向にスライド移動している状態にある。また、第２伝達部材６４が左方向に揺動した状態にあり、第１被作用部２０ｆが第１作用部６４ｃから所定間隙Ｃ２の幅Ｌ３だけ離れ、第２被作用部２０ｇが第２作用部６４ｄの下部側近に接触して位置している。そして、回動翼片２０は、自重により規制部３０ｆが規制片２０ｈに当接して開方向への回動を規制するため、入賞口１２を閉鎖するように起立しており、遊技球Ｂを受け入れ難い閉状態を維持している。
【００３７】
一方、入賞装置１０は、ソレノイド９０のコイル部９０ａが通電される時には、プランジャ９０ｂはばね部材９０ｃの付勢に抗して後退し、図１０（Ｂ）に示すように、これに連動して第１伝達部材６２は右方向にスライド移動する。また、第２伝達部材６４は回動軸６６を中心に右方向へ揺動する。そして、第１作用部６４ｃが間隙Ｃ２の幅Ｌ３の距離を移動して、第１被作用部２０ｆに接触して回動翼片２０を開方向に回動させる。そして、図１０（Ｃ）に示すように、第２伝達部材６４がさらに揺動して第１作用部６４ｃで第１被作用部２０ｆを開方向に回動させると、回動翼片２０は自重により開方向に回動して規制部３０ｇが規制片２０ｈに当接することで、回動翼片２０は遊技者にとって有利な全開状態となり遊技球Ｂが入賞し易くなる。このとき、第２被作用部２０ｇは第２作用部６４ｄの上部側方に位置している。
【００３８】
ここで、図４（Ｂ）及び図５（Ｂ）に示すように、回動翼片２０が閉鎖位置から開放位置に変位する際には、前飾り部材３０の延出壁部３０ｅを回動翼片２０に形成された開口溝２０ｄに入り込ませることで、回動翼片２０が延出壁部３０ｅとの干渉を回避した状態で開放位置に変位している。即ち、図５（Ｂ）に示すように、回動翼片２０の開口溝２０ｄの回動軌跡上に前飾り部材３０の延出壁部３０ｅが位置しており、回動翼片２０の翼部２０ａが右方向に倒れ込む際に、延出壁部３０ｅが開口溝２０ｄの内部の奥まで基端部２０ｂの外周に沿って入り込むことによって、直立していた回動翼片２０の翼部２０ａが略水平となる位置まで回動する構成となっている。これによって、回動翼片２０の側壁下部２０ｃを遊技球Ｂとの衝突から回避するのに十分な大きさの延出壁部３０ｅを設けることができると共に、回動翼片２０の開閉動作を延出壁部３０ｅとの干渉を回避して、広範囲の回転角度を保って円滑に行うことができる。
また、図４（Ｂ）に示すように、回動翼片２０の後壁が、開放位置のときに上方から間隙Ｃ１に入り込む構成であるため、回動翼片２０の強度を後壁の形成によって保ちつつ、回動翼片２０の回転角度を十分に確保することができる。
【００３９】
また、再びコイル部９０ａが非通電状態になると、ばね部材９０ｃの付勢によってプランジャ９０ｂが突出位置に戻ることにより、第１伝達部材６２が左方向にスライド移動し、第２伝達部材６４は回動軸６６を中心に左方向に揺動する。これに伴い第２作用部６４ｄが第２被作用部２０ｇに接触し押圧することで第２被作用部２０ｇが回動して回動翼片２０が閉方向に回動する。そして、第２被作用部２０ｇが所定位置まで回動すると、回動翼片２０が自重により閉状態に復動して入賞口１２を閉鎖する閉鎖位置に変位することになる。
【００４０】
［他の実施形態]
本発明は上記記述及び図面によって説明した実施形態に限定されるものではなく、例えば次のような実施形態も本発明の技術的範囲に含まれる。
【００４１】
第１実施形態において、前飾り部材３０の延出壁部３０ｅは、前壁部３０ａと連続するように底壁部３０ｄの前側寄りに形成される構成としたが、これに限らず、底壁部３０ｄの後側や前後方向の中央位置で底壁部３０ｄから部分的に延出する構成としてもよく、底壁部３０ｄの前後方向全体に亘って連続するように形成してもよい。また、延出壁部３０ｅは、底壁部３０ｄを延出する形で台板４０の前面から該底壁部３０ｄ近傍（上側）に突出するように形成してもよい。また、前飾り部材３０及び台板４０の両部材から延出壁部３０ｅが突出するように形成してもよい。
【００４２】
また、第１実施形態では、ソレノイド９０の駆動力を回動翼片２０に伝えて回動翼片２０を回動させる構成として、第１伝達部材６２及び第２伝達部材６４からなる伝達機構６０を設ける構成としたが、回動翼片２０を閉鎖位置と開放位置とに回動させる構成であれば、上記のように構成されるソレノイド９０や伝達機構６０を設けないその他の構成としてもよい。
【符号の説明】
【００４３】
１…遊技機
２…遊技盤
２ａ…前面（盤面）
１０…遊技機用可変入賞装置（入賞装置）
１２…入賞口
２０…回動翼片
２０ｃ…側壁下部
２０ｄ…開口溝
２０ｅ…後壁
２２…支軸
３０…前飾り部材
３０ａ…前壁部
３０ｄ…底壁部
３０ｅ…延出壁部
４０…台板
５０…支持枠体
６０…伝達機構
６２…第１伝達部材
６４…第２伝達部材
７０…カバー部材
８０…球検出部
９０…ソレノイド
Ｂ…遊技球
Ｇ１，Ｇ２…回動軸線
Ｃ１，Ｃ２…間隙
Ｌ１…遊技球の直径
Ｌ２…間隙Ｃ１の幅
【図１】
2014050629.tif 000003
【図２】
2014050629.tif 000004
【図３】
2014050629.tif 000005
【図４】
2014050629.tif 000006
【図５】
2014050629.tif 000007
【図６】
2014050629.tif 000008
【図７】
2014050629.tif 000009
【図８】
2014050629.tif 000010
【図９】
2014050629.tif 000011
【図１０】
2014050629.tif 000012